(57)【特許請求の範囲】
【請求項１】
底面板と一対の前後面板と一対の左右側面板及び上部とが連なって設けられたブランクを折り曲げて内部に物品を収納する紙箱であって、
前記底面板は方形に形成されると共にその底面板の各辺に前記前後面板及び左右面板が設けてあり、前記前後面板及び左右面板は前記底面板に対し直角に折り曲げられて前記物品を収納する収納部を形成するものであり、前記左右側面板にはその左右側面板に連なり前記前面板に隣接する一対の折り片が設けてあり、前記上部は前記収納部の上側を覆うものであり、前記収納部は、前記左右側面板を前記底面板に対し直角に折り曲げると共に前記一対の折り片を前記左右側面板に対し直角に前記底面板側に折り曲げて、前記前面板を前記底面板に対し直角に折り曲げることで前記一対の折り片が前記前面板を保持した状態で形成され、紙箱の前記収納部側表面には文字又は絵柄が印刷してあり、前記底面板の下辺には前記前面板を切断可能とする簡易切断加工を施してある紙箱。
【請求項２】
前記物品はケースに収納されて前記底面板の前記簡易切断加工近傍に載置してあり、前記一対の折り片が前記前面板を保持した状態で前記ケースと当接する請求項１記載の紙箱。
【請求項３】
前記物品は透明ケース入りのプリザーブドフラワーである請求項１又は２記載の紙箱。
【請求項４】
前記前面板には前記文字が印刷されており、前記簡易切断加工がミシン目である請求項１〜３のいずれかに記載の紙箱。
【請求項５】
前記底面板に直交する前記後面板の両辺に一対の差込片を設け、前記左右側面板に前記差込片を差し込む差込孔を設けてある請求項１〜４のいずれかに記載の紙箱。
【請求項６】
前記上部は一対の前後上面板及び一対の左右上面板よりなり、前記前後上面板は前記底面板の上下辺に対向する前記前後面板の上下辺に設けられると共にその上下辺に対向する辺に対をなす手提片を有し、前記左右上面板は前記底面板の左右辺に対向する前記左右側面板の左右辺に設けられると共にその左右辺に対向して前記手提片を係合させる係合部を有し、前記手提片を前記係合部に係合させた状態において前記前後上面板及び左右上面板が斜面を形成する請求項１〜５のいずれかに記載の紙箱。
【請求項７】
前記底面板、前記後面板及び一対の左右側面板の前記絵柄は屋内風景であり、前記後上面板及び左右上面板の前記収納部側表面には屋根の絵柄が印刷してあり、前記前上面板には前記文字が印刷してあり、前記後上面板の前記手提片の前記収納部側表面に他の絵柄が印刷してある請求項６記載の紙箱。
【請求項８】
前記上部は１の上面板よりなり、前記上面板は前記後面板の上辺に設けられると共に前記上辺に対向する辺に突片を有し、前記前面板の下辺に前記突片を挿入する挿入孔を設けた請求項１〜５のいずれかに記載の紙箱。
【請求項９】
前記収納部側表面にはキャラクターが前記絵柄として印刷してあり、前記一対の折り片に指形の突起部を設けた請求項８記載の紙箱。
【発明の詳細な説明】
【技術分野】
【０００１】
本発明は、紙箱に関する。さらに詳しくは、底面板と一対の前後面板と一対の左右側面板及び上部とが連なって設けられたブランクを折り曲げて内部に物品を収納する紙箱に関する。
【背景技術】
【０００２】
従来、上述の如き紙箱として、例えば特許文献１，２に記載の如きものが知られている。特許文献１に記載の包装用箱は、上下に補強片を設けた側面壁を備え、この側面壁を外側に開くことで箱内部の絵や写真を鑑賞できるようにしてある。しかし、側面壁を外側に開くために構造が複雑となっていた。また、側壁面は開いた後で箱本体から切り取り可能に構成されていない。
【０００３】
特許文献２には、背景や建物が印刷された箱が開示されている。この箱の前フラップの中央には切取線が設けてあり、切取線で切断することで前フラップを左右に開き、箱を玩具として使用可能にしてある。しかし、切取線を設けた前フラップの保持に対する配慮が不十分であり、箱を堅牢に形成することは困難であった。
【特許文献１】実用新案登録第３００９５１９号公報
【特許文献２】特開２００２−９５４１７号公報
【発明の開示】
【発明が解決しようとする課題】
【０００４】
かかる従来の実情に鑑みて、本発明は、組立・展開が容易で、内部を目視可能な状態で前面を開放でき箱としても堅牢で不測の破損を防ぐことのできる紙箱を提供することを目的とする。
【課題を解決するための手段】
【０００５】
上記目的を達成するため、本発明に係る紙箱の特徴は、底面板と一対の前後面板と一対の左右側面板及び上部とが連なって設けられたブランクを折り曲げて内部に物品を収納する構成において、前記底面板は方形に形成されると共にその底面板の各辺に前記前後面板及び左右面板が設けてあり、前記前後面板及び左右面板は前記底面板に対し直角に折り曲げられて前記物品を収納する収納部を形成するものであり、前記左右側面板にはその左右側面板に連なり前記前面板に隣接する一対の折り片が設けてあり、前記上部は前記収納部の上側を覆うものであり、前記収納部は、前記左右側面板を前記底面板に対し直角に折り曲げると共に前記一対の折り片を前記左右側面板に対し直角に前記底面板側に折り曲げて、前記前面板を前記底面板に対し直角に折り曲げることで前記一対の折り片が前記前面板を保持した状態で形成され、紙箱の前記収納部側表面には文字又は絵柄が印刷してあり、前記底面板の下辺には前記前面板を切断可能とする簡易切断加工を施したことにある。
【０００６】
上記特徴により、各面板を折り曲げることで容易に組み立てることができると共に展開も容易となる。また、前面板は簡易切断加工を施した底面板の下辺から切断可能であるので、前面板を切り取ることで箱前面を開放でき、内部に収納した物品と内面に印刷された文字又は絵柄を良好な状態で鑑賞することができる。しかも、簡易切断加工を施した底面板の下辺を介して設けた前面板は、開放前において一対の折り片により保持されるので、紙箱が堅牢に形成され不測の破損をも防止することができる。
【０００７】
また、前記物品はケースに収納されて前記底面板の前記簡易切断加工近傍に載置してあり、前記一対の折り片が前記前面板を保持した状態で前記ケースと当接するとよい。これにより、前面板を保持する一対の折り片がケースにより保持されるので、より確実に紙箱の不測の破損を防止することができる。
【０００８】
前記物品は透明ケース入りのプリザーブドフラワーであればよく、前記前面板には前記文字が印刷されており、前記簡易切断加工がミシン目であっても構わない。前面板は切断可能であるので、物品の文字部分を切り取ることで前面を開放した紙箱の意匠効果を高めることができる。これにより、例えば前面を開放した紙箱をインテリアとして飾ることができる。
【０００９】
前記底面板に直交する前記後面板の両辺に一対の差込片を設け、前記左右側面板に前記差込片を差し込む差込孔を設けても構わない。差込片と差込孔との係合により収納部をより堅牢に形成することができる。
【００１０】
また、上記特徴において、前記上部は一対の前後上面板及び一対の左右上面板よりなり、前記前後上面板は前記底面板の上下辺に対向する前記前後面板の上下辺に設けられると共にその上下辺に対向する辺に対をなす手提片を有し、前記左右上面板は前記底面板の左右辺に対向する前記左右側面板の左右辺に設けられると共にその左右辺に対向して前記手提片を係合させる係合部を有し、前記手提片を前記係合部に係合させた状態において前記前後上面板及び左右上面板が斜面を形成するようにしても構わない。対をなす手提片を左右上面板と係合させることで、紙箱に手提を設けると共に紙箱を堅牢にすることができる。
【００１１】
係る場合、前記底面板、前記後面板及び一対の左右側面板の前記絵柄は屋内風景であり、前記後上面板及び左右上面板の前記収納部側表面には屋根の絵柄が印刷してあり、前記前上面板には前記文字が印刷してあり、前記後上面板の前記手提片の前記収納部側表面に他の絵柄が印刷してあるとよい。これにより、紙箱前面を開放した状態で紙箱を家として認識させることができる。
【００１２】
また、前記上部は１の上面板よりなり、前記上面板は前記後面板の上辺に設けられると共に前記上辺に対向する辺に突片を有し、前記前面板の下辺に前記突片を挿入する挿入孔を設けてもよい。突片を挿入孔に挿入することで、一対の折り片が前面板を保持した状態で、その前面板と上面板とを連結でき、紙箱をより堅牢に形成することができる。
【００１３】
係る場合、前記収納部側表面には前記絵柄としてキャラクターが印刷してあり、前記一対の折り片に指形の突起部を設けるとよい。前面を開放した状態において、印刷されたキャラクターと指形の突起部とが一体となって、キャラクターが両手を広げて物品を手渡しているように見せることができ、意匠効果をより高めることができる。また、前面の開放前において一対の折り片は前面板を保持するので、箱外面に露出されることはなく、指となる突起部を前面板より保護し不測の破損を防止できる。
【発明の効果】
【００１４】
上記本発明に係る紙箱の特徴によれば、組立・展開が容易で、内部を目視可能な状態で前面を開放でき箱としても堅牢で不測の破損を防ぐことが可能となった。
【００１５】
本発明の他の目的、構成及び効果については、以下の発明の実施の形態の項から明らかになるであろう。
【発明を実施するための最良の形態】
【００１６】
次に、図１〜５を参照しながら、本発明に係る紙箱の第一実施形態について、さらに詳しく説明する。
図１，３，４に示すように、本発明に係る紙箱１は、大略、厚紙等の１枚のブランク２及び物品４からなる。このブランク２には、図２に示すように、大略、底面板１１、前面板１２、後面板１３、左面板１４、右面板１５、上部２０及び手提３０となる一対の手提片３１，３２が連続して設けられている。一対の前後面板１２，１３及び一対の左右面板１４，１５は、底面板１１に対し直角に折り曲げられて物品４を収納する収納部５を形成する。また、図３，４に示すように、この収納部５を囲む各面板の収納部５側表面には、文字又は絵柄が印刷してある。
【００１７】
図２に示すように、底面板１１の下辺１１ａには、簡易切断加工としてミシン目ｐを施してあり、ミシン目ｐを介して前面板１２が設けられている。このミシン目ｐは、ブランク２を貫通する略方形の貫通部分と非貫通の接続部分が直線状に交互に配列して形成されている。また、上辺１１ｂ及び左右辺１１ｃ，ｄには、同図において一点鎖線で示す折り目線を介して後面板１３及び一対の左右面板１４，１５が設けられている。これら各面板１１〜１５は略方形に形成されている。前面板１２は、ミシン目ｐにより底面板１１から切断可能であり、前面板１２を切断することで、紙箱１の前面を開放できる。また、後面板１３の左右には、差込片１３ａ，ｂが各々折り目線を介して設けられている。
【００１８】
左側面板１４の下辺１４ａには、略方形の折り片１６が折り目線を介して設けられてあり、前面板１２に隣接する。また、上辺１４ｂには、連結片１８と差込片１３ａが差し込まれる差込孔１８ａが設けられている。差込片１３ａと差込孔１８ａとの係合により、連結片１８を介して後面板１３と左側面板１４とが連結固定される。なお、右側面板１５は左側面板１４と同様の構成であり、底面板１１に対して左右対称に設けてある。符号１７は折り片１６に対応し、符号１９は連結片１８に対応し、符号１９ａは差込孔１８ａに対応する。
【００１９】
上部２０は、前上面板２１、後上面板２２、左上面板２３及び右上面板２４よりなり、折り曲げられて収納部５を覆う蓋部となる。前上面板２１は台形を呈し、前面板１２の下辺１２ａに折り目線を介して設けられている。後上面板２２は前上面板２１と同様の構成であり、底面板１１に対して上下対称に設けてある。
【００２０】
左上面板２３は略三角形状を呈し、左側面板１４の左辺１４ｃに折り目線を介して設けてある。この左上面板２３には、凸部２３ａ及び後述の手提片３１，３２を係合させる切込２３ｂが形成してあり、手提片３１，３２を係合させる係合部を構成する。なお、右上面板２４は左上面板２３と同様の構成であり、底面板１１に対して左右対称に設けてある。符号２４ａは凸部２３ａに対応し、符号２４ｂは切込２３ｂに対応する。
【００２１】
手提片３１は、前上面板２１の下辺２１ａに折り目線を介して設けてあり、その両端には突起３１ａ，ｂが形成されている。また、下辺２１ａ側の幅方向中央には、略方形の切込３３を形成してある。なお、手提片３２は手提片３１と同様の構成であって、底面板１１に対して上下対称に設けてある。符号３２ａ，ｂは突起３１ａ，ｂに対応し、符号３４は切込３３に対応する。
【００２２】
物品４は、プリザーブドフラワー４１を透明ケース４２内部に収納してなる。図４に示すように、透明ケース４２は折り片１６，１７とほぼ同一高さに形成してある。透明ケース４２は、底面板１１の下辺１１ａのミシン目ｐ近傍に載置され、その幅方向略中央において底面板１１に接着固定される。このプリザーブドフラワー４１は、生花の如き美しさを保ちながら枯れずに１年程度鑑賞可能なものである。
【００２３】
次に、ブランク２を折り曲げて紙箱１を組み立てる手順について説明する。
まず、後面板１３及び左右側面板１４，１５を折り目線で底面板１１に対し直角に折り曲げる。次に、後面板１３の差込片１３ａ，ｂを折り目線で折り曲げて差込孔１８ａ，１９ａに差し込み、左連結片１８，１９を介して後面板１３と左右側面板１４，１５とを連結固定する。そして、一対の折り片１６，１７を左右側面板１４，１５に対し直角に折り曲げて後面板１３と対向させ、前面板１２を後面板１３と対向するように底面板１１に対し直角に折り曲げて、収納部５を形成する。
【００２４】
図５に示すように、この折り曲げた状態において、前面板１２は一対の折り片１６，１７に当接し、この一対の折り片１６，１７により収納部５側方向に対して保持される。これにより、一対の折り片１６，１７が前面板１２の収納部５側への変位を抑制して、ミシン目ｐが切断されることによる前面板１２の不測の脱落を防止することができる。さらに、一対の折り片１６，１７とほぼ同一高さに形成された透明ケース４２は、底面板１１のミシン目ｐの幅方向の中央近傍に固定してあるので、一対の折り片１６，１７は透明ケース４２に当接し、収納部５側方向に対する変位を抑制する。これにより、透明ケース４２が前面板１２を保持する一対の折り片１６，１７を保持して、ミシン目ｐの不測の切断をより確実に防止することができる。
【００２５】
収納部５を形成した後、上部２０の各面板２１〜２４を折り目線を介して折り曲げ、手提片３１，３２の突起３１ａ，ｂ，３２ａ，ｂを切込２３ｂ，２４ｂに差し込む。これにより、手提３０が形成されると共に各上面板２１〜２４が傾斜して収納部５を覆って蓋部を形成し、紙箱１が組み立てられる。突起３１ａ，ｂ，３２ａ，ｂと切込２３ｂ，２４との係合により、手提３０を有する堅牢な紙箱１となる。
【００２６】
一方、紙箱１を開封する際は、手提片３１の突起３１ａ，ｂと切込２３ｂ，２４ｂとの係合を解除し、ミシン目ｐにより前面板１２を底面板１１から切断して紙箱の前面を開放して収納部５を目視可能な状態とする。
【００２７】
ここで、上述の各面板等に印刷される文字又は絵柄Ｄについて説明する。
図３，４に示すように、前面を開放した状態において収納部５を室内と見せるように、後面板１３には、子供及び母親のイラストＤ１ａや家具のイラストＤ１ｂが印刷してあり、左右側面板１４，１５には窓のイラストＤ１ｃが印刷してある。また、傾斜する後上面板２２及び左右上面板２３，２４には、屋根の絵柄Ｄ２が印刷してある。収納部５を室内として認識させる一方、この絵柄Ｄ２により、紙箱１の内部でありながら、斜面となる後上面板２２及び左右上面板２３，２４を室外を表す屋根として錯覚させるように認識させる。
【００２８】
さらに、後上面板２２に連続する手提片３２の手提片３１と対向する面には、小鳥のイラストＤ３が印刷してある。突起３１ａ，ｂと切込２３ｂ，２４ｂとの係合を解除することで、手提３０内面から小鳥Ｄ３が現れるように見せ、意匠効果を高めることができる。そして、前面を開放した状態において、後上面板２２の屋根Ｄ２に小鳥Ｄ３が留まっているように見せることができ、より意匠効果を高めることができる。図３，４に示す如く紙箱１の外観形状及び収納部５側に印刷された絵柄Ｄ１〜３により、紙箱１の前面を開放することで、紙箱１を家として認識させることができる。なお、後面板１３と接触する連結片１８，１９及び左右側面板１４，１５に接触する差込片１３ａ，ｂの収納部５側表面にも絵柄が印刷されている。
【００２９】
また、図４に示す如き子供及び母親のイラストＤ１ａは透明ケース４２を挟むように印刷されている。この位置関係により、子供が母親にプリザーブドフラワー４１を手渡している状況を演出する。加えて、折り片１６にはメッセージＤ４が印刷されてある。このように、前面を開放した状態において、文字又は絵柄Ｄ１〜４とプリザーブドフラワー４１とを関連づけて配置することで、プレゼントを手渡す状況を演出し、意匠効果を高めることができる。しかも、各面板の紙箱１の外面側には文字や絵柄は印刷がされておらず、前面を開放することで驚きを与えることができる。例えば母の日のプレゼントとして紙箱１を用いれば、子供には楽しみながら紙箱１を組み立てる喜びを与え、母親には紙箱１前面を開放することで驚きと感動を与えることができる。
【００３０】
さらに、図４に示すように、前面板１２及び前上面板２１には物品４の説明として文字Ｄ５が印刷されている。前面板１２はミシン目ｐを介して底面板１１から切断可能であるので、前面板１２と前面板１２に連続する前上面板２１をミシン目ｐで紙箱１から分離して、物品４の説明書として紙箱１とは別に保存することができる。しかも、物品の説明Ｄ５部分を切り取ることで紙箱１の意匠効果を高めることができ、図３に示す如く前面開放後の紙箱１をインテリアとして飾ることもできる。
【００３１】
次に、図６〜９を参照しながら、本発明の第二実施形態について説明する。なお、以下の実施形態において、上記実施形態と同様の部材等には同様の符号を付してある。
図６に示すように、紙箱１’はブランク５０を折り曲げて略直方体に形成してある。このブランク５０は、図７に示すように、大略、底面板５１、前面板５２、後面板５３、左面板５４、右面板５５及び上部６０よりなる。底面板５１の下辺５１ａにはミシン目ｐを介して切断可能に前面板５２が設けられている。前面板５２の下辺５２ａには突片６２を挿入する挿入孔５２ｂが設けられている。
【００３２】
後面板５３及び左右面板５４，５５は、折り目線を介して上辺５１ｂ及び左右辺５１ｃ，ｄに設けられている。この左右面板５４，５５の下部には、指の形に形成した突起部５６ａ，５７ａを備えた折り片５６，５７を設けてある。また、本実施形態において、上部６０は単一の上面板６１により構成してある。この上面板６１には、略三角形の突片６２を設けてある。また、前面板５２の下辺５２ａ及び左右側面板５４，５５には開口片６３〜６５が設けられている。
【００３３】
ここで、ブランク５０を折り曲げて紙箱１’を組み立てる手順について説明する。
各面板５２〜５５を上記実施形態と同様に折り曲げて直方体状の収納部５’を形成する。この折り曲げた状態において、前面板５２は一対の折り片５６，５７に当接し、一対の折り片５６，５７が透明ケースに当接する。これにより、前面板５２が一対の折り片５６，５７及び透明ケースに保持されて、ミシン目ｐの不測のちぎれが防止される。しかも、一対の折り片５６，５７の突起部５６ａ，５７ａは、前面板５２により箱外部から露出されないので、前面板５２を保持しながら突起部５６ａ，５７ａの破損をも防止する。
【００３４】
収納部５’を形成した後、折り目線を介して開口片６３〜６５を底面板５１に対向するように折り曲げる。そして、その開口片６３〜６５上側へ上面板６１を垂直に折り曲げ、突起６２を前面板５２の挿入孔５２ｂに挿入する。これにより、上面板６１が収納部５’を覆って蓋部を形成し、紙箱１’が組み立てられる。突起６２と挿入孔５２ｂとの係合により、前面板５２と上面板６１とが連結固定され、堅牢な紙箱１’となる。
【００３５】
図８，９に示すように、後面板５３及び左右側面板５４，５５にはサンタクロース及び背景のイラストＤ１ａ’が印刷されてある。また、突片６２に帽子のイラストＤ１ｂ’が印刷されている。さらに、一対の折り片５６，５７には、腕のイラストＤ１ｃ’が印刷されている。図９に示すように、紙箱１’を開放した状態において、これら絵柄Ｄ１’及び一対の折り片５６，５７の形状により、サンタクロースが両手を広げて物品を手渡しているように演出でき、意匠効果を高めることができる。例えば、子供へのクリスマスプレゼントとして紙箱１’を用いれば、感動と驚きを子供に与えることができる。
【００３６】
最後に、本発明のさらに他の実施形態の可能性について説明する。
上記各実施形態において、印刷は上記文字又は絵柄に限定されるものではなく、様々なシュチュエーションを想定し物語が成り立つような絵柄を印刷してあるとよい。また、物品として透明箱入りプリザーブドフラワーを用いたが、これに限定されるものでもない。
【００３７】
また、上記各実施形態において、ブランクの組立を突片等の係合により箱を組み立てた。しかし、接着剤等を用いて接着させて箱を組み立てても構わない。
【００３８】
上記各実施形態において、文字又は絵柄は収納部内側全面に印刷した。しかし、文字又は絵柄の印刷は、全面印刷に限られるものでなく、適宜印刷する面を選択してもよい。
【００３９】
上記各実施形態において、簡易切断加工としてミシン目ｐを施した。しかし、簡易切断加工はミシン目に限られず、例えば開封ジッパーや弱め線等であっても構わない。また、上記ミシン目は略方形の貫通部分と非貫通の接続部分とにより形成した。しかし、ミシン目の形状は特に限定されるものでなく、例えば円形の貫通孔により貫通部分を形成してもよい。また、開封ジッパーの形状も同様に、ハの字形状や、くの字形状等を適宜選択可能である。さらに、上述のミシン目と弱め線との組み合わせによる簡易切断加工としても構わない。すなわち、簡易切断加工には、前面板を底面板から簡便に切断、分離可能な構造のものが含まれる。
【産業上の利用可能性】
【００４０】
本発明は、例えばプレゼントを包装するプレゼント箱として利用することができる。
【図面の簡単な説明】
【００４１】
【図１】本発明に係る紙箱の斜視図である。
【図２】ブランクを展開した状態の平面図である。
【図３】紙箱を開封した状態における斜視図である。
【図４】前面板を切り離す前の状態における正面図である。
【図５】収納部の前面板近傍における部分拡大断面図である。
【図６】他の実施形態に係る紙箱の斜視図である。
【図７】他の実施形態に係る紙箱のブランクの図２相当図である。
【図８】他の実施形態に係る紙箱の図３相当図である。
【図９】他の実施形態に係る紙箱の図４相当図である。
【符号の説明】
【００４２】
１：紙箱、２：ブランク、４：物品、５：収納部、１１：底面板、１２：前面板、１３：後面板、１３ａ，ｂ：差込片、１４：左側面板、１５：右側面板、１６：左折り片、１７：右折り片、１８：左連結片、１８ａ：差込孔、１９：右連結片、１９ａ：差込孔、２０：上部、２１：前上面板、２２：後上面板、２３：左上面板、２３ａ：凸部、２３ｂ：切込、２４：右上面板、２４ａ：凸部、２４ｂ：切込、３０：手提、３１，３２：手提片、３１ａ，ｂ，３２ａ，ｂ：突起、３３，３４：切込、４１：プリザーブドフラワー、４２：透明ケース、５０：ブランク、５１：底面板、５２：前面板、５２ｂ：挿入孔、５３：後面板、５４：左側面板、５５：右側面板、５６：左折り片、５７：右折り片、５６ａ，５７ａ：突起部（指）、５８：左連結片、５８ａ：差込孔、５９：右連結片、５９ａ：差込孔、６１：上面板、６２：突片、６３：左開口片、６４：右開口片、６５：下開口片、Ｄ：文字又は絵柄、ｐ：ミシン目
【図１】
0004764895.tif 000002
【図２】
0004764895.tif 000003
【図３】
0004764895.tif 000004
【図４】
0004764895.tif 000005
【図５】
0004764895.tif 000006
【図６】
0004764895.tif 000007
【図７】
0004764895.tif 000008
【図８】
0004764895.tif 000009
【図９】
0004764895.tif 000010